(57)【特許請求の範囲】
【請求項１】
使用者の前側と後側とを覆うように構成された対流式ブランケットであり、空気を通さない上方シートと、空気を通さない下方シートと、胴エリアと、頭エリアと、複数の孔と、半円周状のシールとを備えており、前記上方シートと前記下方シートとがそれらの外縁部において互いに接合されて膨張可能な構造を形成し、縦軸に沿って前記構造が主部と副部とを有し、前記主部と前記副部は相対的に折られることが可能であり、前記胴エリアが前記主部に設けられており、使用者の後側が前記主部に向くように使用者が前記上方シートに載せられている時に使用者の後側が前記胴エリアに接触する一方使用者の頭が前記頭エリアに接触し、前記胴エリアと前記頭エリアの各々が１対の縦方向辺により画成されており、前記複数の孔が前記構造の中の空気を使用者に向けて出すことができるように前記上方シートに設けられ、前記シールが当該ブランケットの縦軸に対して実質的に直交する関係にあり、前記シールは前記頭エリアから離れた位置にて前記副部に設けられており、前記シールはその端が前記頭エリアの前記縦方向辺を越えて延びており、前記主部と前記副部が互いに近づくように相対的に折られ、その結果前記副部が使用者の前側を覆う一方前記主部が使用者の後側を覆っている時に前記シールを開いて使用者の頭を露出させたり、あるいは使用者の頭を前記シールに通すことができるようになっている対流式ブランケット。
【請求項２】
２つの細長い開口をさらに備え、前記２つの細長い開口の各々が輪状シールにより画成され、前記２つの細長い開口が実質的に前記主部の長さ方向に沿って縦に延び、少なくとも前記主部における前記胴エリアが前記２つの細長い開口の間に挟まれている請求項１に記載の対流式ブランケット。
【請求項３】
前記上方シートに設けられた複数の孔列の配列をさらに備え、前記配列が実質的に前記細長い開口の各縦方向辺に沿って平行に延びている請求項２に記載の対流式ブランケット。
【請求項４】
前記シールが曲線状であり、かつその長さの実質部分に沿って延びる目打ち線または虚弱構成部線を有していて、前記シールが容易に開かれるようになっている請求項１に記載の対流式ブランケット。
【請求項５】
複数の孔列をさらに備え、前記副部の前記上方シートにおける前記シールに対して前記複数の孔列が曲線的かつ空間的に揃っている請求項４に記載の対流式ブランケット。
【請求項６】
少なくとも１つの入口ポートをさらに備え、前記入口ポートが当該ブランケットの縦方向辺に設けられていて、空気を前記構造に入れるために前記入口ポートを使うことができる請求項１に記載の対流式ブランケット。
【請求項７】
接合帯部をさらに備え、縦方向において前記構造が上端と底端との間に画定されていて、前記接合帯部が前記シールから前記構造の前記上端に延びている請求項１に記載の対流式ブランケット。
【請求項８】
前記構造の底端において前記主部が丸みの付いた隅を有し、前記構造の前記副部が等脚台形の形をしていて、前記構造内の空気流が良化されている請求項１に記載の対流式ブランケット。
【請求項９】
使用者の反対両側を覆うように構成された対流式ブランケットであり、空気を通さない上方シートと、空気を通さない下方シートと、２つの細長い開口と、第１シールと、胴エリアと、頭エリアとを備えており、前記上方シートと前記下方シートとがそれらの外縁部において互いに接合されて膨張可能な構造を形成し、縦軸に沿って前記構造が主部と副部とを有し、前記２つの細長い開口の各々が輪状の第２シールにより画成され、前記２つの細長い開口が実質的に前記主部の長さ方向に沿って縦に延び、前記胴エリアが前記２つの細長い開口の間に挟まれており、使用者が前記上方シートに載せられている時に前記胴エリアが使用者に接触するように構成され、前記頭エリアが前記構造に設けられているとともに、使用者の頭に接触するように構成され、前記頭エリアから離れた位置において前記第１シールが前記副部に設けられており、前記第１シールの長さ方向が前記構造の前記縦軸に対して実質的に直交しており、前記主部と前記副部が互いに近づくように相対的に折られ、その結果前記副部が使用者の前記反対両側の内の１つに接触する一方前記主部が使用者の前記反対両側の内の他の１つに接触する時に前記第１シールを開いて使用者の頭を露出させたり、あるいは使用者の頭を前記第１シールに通すことができるようになっている対流式ブランケット。
【請求項１０】
前記第１シールが曲線状であり、かつその長さの実質部分に沿って延びる目打ち線または虚弱構成部線を有していて、使用者の頭が通る開口を形成するために、前記目打ち線または虚弱構成部線に沿って前記第１シールを裂くことができるようになっている請求項９に記載の対流式ブランケット。
【請求項１１】
前記上方シートに設けられた複数の孔をさらに備え、前記複数の孔により前記構造内の加熱された空気が逃げることができ、前記複数の孔が複数の孔列を形成し、前記複数の孔列が前記胴エリアの各縦方向辺に沿ってその近傍に設けられている請求項９に記載の対流式ブランケット。
【請求項１２】
２つの入口ポートをさらに備え、前記２つの入口ポートの各々が当該ブランケットの対応縦方向辺に配置されており、空気を前記構造に入れるために前記２つの入口ポートの各々を使うことができる請求項９に記載の対流式ブランケット。
【請求項１３】
接合帯部をさらに備え、前記接合帯部が前記縦軸に沿って前記第１シールから前記構造の上端に延びており、前記接合帯部はその長さ方向に沿って分割することができ、これにより前記副部が２つの半部に分けられて使用者の前面が露出され得るようになっている請求項９に記載の対流式ブランケット。
【請求項１４】
前記構造の主部が底端を有し、前記底端が丸みの付いた隅を有し、前記構造の前記副部が等脚台形の形をしていて、膨張状態にある前記構造内の空気流が促進されるようになっている請求項９に記載の対流式ブランケット。
【請求項１５】
使用者の反対両側を覆うように構成された対流式ブランケットの製造方法であって、空気を通さない上方シートと空気を通さない下方シートとをそれらの外縁部において接合して膨張可能な構造を形成する工程（ａ）と、胴エリアと頭エリアとを設ける工程（ｂ）と、前記構造内の空気を使用者に向けて出すために複数の孔を前記上方シートに設ける工程（ｃ）と、当該ブランケットの縦軸に対して実質的に直交するようにシールを配する工程（ｄ）とを含み、前記縦軸に沿って前記構造が主部と副部とを有し、前記主部と前記副部は互いに近づくように折ることができ、前記胴エリアが前記主部に位置しており、使用者が前記上方シートに載せられている時に使用者の少なくとも１つの側が前記胴エリアに接触する一方、使用者の頭が前記頭エリアに接触し、前記胴エリアと前記頭エリアの各々が１対の縦方向辺により画成され、前記頭エリアから離れた位置において前記シールが前記副部に設けられており、前記シールはその端が前記頭エリアの前記縦方向辺を越えて延びており、前記主部と前記副部が互いに近づくように相対的に折られ、その結果前記副部が使用者の前記反対両側の内の１つに接触する一方前記主部が使用者の前記反対両側の内の他の１つに接触する時に前記シールを開いて使用者の頭を露出させたり、あるいは使用者の頭を前記シールに通すことができるようになっている対流式ブランケットの製造方法。
【請求項１６】
２つの細長い開口を延設する工程と、少なくとも前記主部における前記胴エリアを前記２つの細長い開口の間に位置させる工程とをさらに含み、前記２つの細長い開口の各々が輪状シールにより画成され、前記２つの細長い開口が実質的に前記主部の長さ方向に沿って縦に延びている請求項１５に記載の対流式ブランケットの製造方法。
【請求項１７】
前記工程（ｄ）が、前記頭エリアに対して曲線状関係となるように前記シールを形成する工程と、前記シールの実質部分に沿って目打ち線または虚弱構成部線を設ける工程とを含み、使用者の頭を露出させたり、あるいは使用者の頭を通す開口を生じさせるために、前記目打ち線または虚弱構成部線に沿って前記シールを裂くことができるようになっている請求項１５に記載の対流式ブランケットの製造方法。
【請求項１８】
前記構造内の加熱された空気を逃がすために複数の孔を前記上方シートに形成する工程と、前記胴エリアの前記縦方向辺の各々に沿ってその近傍に複数の孔列を設ける工程と、前記構造内の空気流を良化するために、丸みの付いた隅を有するように前記主部の底端を構成するとともに、前記副部を等脚台形の形に構成する工程とをさらに含む請求項１５に記載の対流式ブランケットの製造方法。
【請求項１９】
空気を前記構造に入れるために、ブランケットの縦方向辺に少なくとも１つの入口ポートを配置する工程をさらに含む請求項１５に記載の対流式ブランケットの製造方法。
【請求項２０】
接合帯部を延設する工程をさらに含み、前記接合帯部が前記縦軸に沿って前記第１シールから前記構造の上端に延びており、前記接合帯部はその長さ方向に沿って分割することができ、これにより前記副部が２つの半部に分けられて使用者の前記反対両側の内の１つが露出され得るようになっている請求項１５に記載の対流式ブランケットの製造方法。
【発明の詳細な説明】
【技術分野】
【０００１】
本発明は、対流式加温ブランケットに関し、特にポンチョ状の上敷兼下敷用組合せブランケットに変換できる下敷ブランケットに関する。この組合せブランケットは、横になって休む姿勢、または立った姿勢や座った姿勢の患者により使用されるためのものである。
【背景技術】
【０００２】
本出願と同じ譲受人に譲渡された米国特許第８、１７２、８９０号に、患者を支持する全身用ブランケットとして構成された上敷兼下敷用組合せブランケットが開示されている。米国特許第８、１７２、８９０号のブランケットは、その中央部に開口を有している。この開口は、ブランケット上部を患者の上へと折り返す際に、患者の頭を通過させるためのものである。米国特許第８、１７２、８９０号のブランケットにおける開口は、前もってブランケットに設けられる。参照により米国特許第８、１７２、８９０号の開示内容は本出願に組み込まれる。
【発明の概要】
【０００３】
本発明の対流式ブランケットはポンチョ型ブランケットに変換できる下敷ブランケットであり、患者の頭がブランケットを貫通することを可能にする前もって画成された開口はそこには存在しない。より詳しくは本発明のブランケットは、上部（副部）と主部（主要部）に分けられ得る膨張可能な構造である。膨張可能でない胴エリアが主部に存在する。膨張可能でない頭エリアも実質的にブランケット主部に設けられている。したがって、患者が対流式ブランケットの上方シートに載せられている時に、患者の頭が膨張可能でない頭エリアに置かれ、患者の胴が膨張可能でない胴エリアに置かれることになる。患者の大きさしだいでブランケット底端が患者の臀部を支えるように、ブランケットの長さが設定されている。空気などの流体を入れてブランケットを膨らませることを可能にするために、２つの空気入口ポートがブランケットに設けられている。これら空気入口ポートの各々は、ブランケットの縦方向縁に位置している。
【０００４】
膨張可能でない頭エリアから離れた位置において、半円周状または曲線状のシールがブランケット上部に設けられている。このシールは、実質的にその長さ方向に沿って虚弱構成部線または目打ち線を有している。虚弱構成部線または目打ち線の存在によりシールを容易に開くことができ、その結果ブランケット上部とブランケット主部を互いに近づくように折る時に、患者の頭を露出させたり、あるいは患者の頭を通す開口が裂けられたシールにより形成される。このように下敷ブランケットが上胴兼下胴用組合せブランケットに変換されると、本発明ブランケットはポンチョ型ブランケットになる。このポンチョ型ブランケットでは、患者の反対両側、例えば患者の前側と後側がブランケット上部とブランケット主部によりそれぞれ覆われる。
【０００５】
２つの細長い開口が設けられている。これら細長い開口の各々は、対応する輪状シールにより画成されている。２つの細長い開口は、実質的にブランケット主部の長さ方向に沿って縦に延びている。膨張可能でない胴エリアおよびことによると膨張可能でない頭エリアの一部が、２つの細長い開口の間に挟まれている。２つの細長い開口を通って患者の腕を延ばすことができ、縦方向において患者はブランケットの反対両側により包まれ得るようになっている。ブランケットをポンチョ型のものとして使用し、上部が患者の前側に接触する一方、主部が患者の後側に接触する場合、半繭状の状態で患者の上胴部が実質的にブランケットにより包まれ、患者の頭の頂部または患者の顔のみが露出することになる。患者に接触するブランケットの上方シートに複数の孔が設けられており、ブランケットの加熱された上方シートとの接触を介した熱伝導により患者が温められるばかりでなく、ブランケットの上方シートの孔から出る加熱された空気に包まれることによっても患者は温められる。
【０００６】
本発明ブランケットが全身用ブランケットでない場合、ブランケットの縦方向縁に設けられた入口ポートのいずれか一方を介してブランケット内に加熱された空気を入れるための空気ホースが十分な長さを持っていれば、座った姿勢または立った姿勢の患者を温めるために本発明ブランケットを容易に使用することができる。さらに、患者の異なる複数の部分を覆うために、本発明ブランケットを種種の異なる態様で使用してもよい。
【０００７】
それゆえ本発明は、使用者の前側と後側とを覆うように構成された対流式ブランケットに関する。このブランケットは、空気を通さない上方シートと、空気を通さない下方シートと、胴エリアと、頭エリアと、複数の孔と、シールとを備えており、前記上方シートと前記下方シートとがそれらの外縁部において互いに接合されて膨張可能な構造を形成し、縦軸に沿って前記構造が主部と副部とを有し、前記主部と前記副部は相対的に折られることが可能であり、前記胴エリアが前記主部に設けられており、使用者の後側が前記主部に向くように使用者が前記上方シートに対して適正な位置に居る時に使用者の後側が前記胴エリアに接触する一方使用者の頭が前記頭エリアに接触し、前記胴エリアと前記頭エリアの各々が１対の縦方向辺により画成されており、前記複数の孔が前記上方シートに設けられているとともに、前記構造の中の空気を使用者に向けて出すように構成され、前記シールが当該ブランケットの縦軸に対して実質的に直交する関係にあり、前記シールは前記頭エリアから離れた位置にて前記副部に設けられており、前記シールはその端が前記頭エリアの前記縦方向辺を越えて延びており、前記主部と前記副部が互いに近づくように相対的に折られ、その結果前記副部が使用者の前側を覆う一方前記主部が使用者の後側を覆っている時に前記シールを開いて使用者の頭を露出させたり、あるいは使用者の頭を前記シールに通すことができるようになっている。
【０００８】
また本発明は、使用者の反対両側を覆うように構成された対流式ブランケットにも関する。このブランケットは、空気を通さない上方シートと、空気を通さない下方シートと、２つの細長い開口と、第１シールと、胴エリアと、頭エリアとを備えており、前記上方シートと前記下方シートとがそれらの外縁部において互いに接合されて膨張可能な構造を形成し、縦軸に沿って前記構造が主部と副部とを有し、前記２つの細長い開口の各々が輪状の第２シールにより画成され、前記２つの細長い開口が実質的に前記主部の長さ方向に沿って縦に延び、前記胴エリアが前記２つの細長い開口の間に挟まれており、使用者が前記上方シートに対して適正な位置に居る時に前記胴エリアが使用者に接触するように構成され、前記頭エリアが前記構造に設けられているとともに、使用者の頭に接触するように構成され、前記頭エリアから離れた位置において前記第１シールが前記副部に設けられており、前記第１シールの長さ方向が前記構造の前記縦軸に対して実質的に直交しており、前記主部と前記副部が互いに近づくように相対的に折られ、その結果前記副部が使用者の前記反対両側の内の１つに接触する一方前記主部が使用者の前記反対両側の内の他の１つに接触する時に前記第１シールを開いて使用者の頭を露出させたり、あるいは使用者の頭を前記第１シールに通すことができるようになっている。
【０００９】
さらに本発明は、使用者の反対両側を覆うように構成された対流式ブランケットの製造方法にも関する。この製造方法は、空気を通さない上方シートと空気を通さない下方シートとをそれらの外縁部において接合して膨張可能な構造を形成する工程（ａ）と、胴エリアと頭エリアとを設ける工程（ｂ）と、前記構造内の空気を使用者に向けて出すために複数の孔を前記上方シートに設ける工程（ｃ）と、当該ブランケットの縦軸に対して実質的に直交するようにシールを配する工程（ｄ）とを含み、前記縦軸に沿って前記構造が主部と副部とを有し、前記主部と前記副部は互いに近づくように折ることができ、前記胴エリアが前記主部に位置しており、使用者が前記上方シートに対して適正な位置に居る時に使用者の少なくとも１つの側が前記胴エリアに接触する一方、使用者の頭が前記頭エリアに接触し、前記胴エリアと前記頭エリアの各々が１対の縦方向辺により画成され、前記頭エリアから離れた位置において前記シールが前記副部に設けられており、前記シールはその端が前記頭エリアの前記縦方向辺を越えて延びており、前記主部と前記副部が互いに近づくように相対的に折られ、その結果前記副部が使用者の前記反対両側の内の１つに接触する一方前記主部が使用者の前記反対両側の内の他の１つに接触する時に前記シールを開いて使用者の頭を露出させたり、あるいは使用者の頭を前記シールに通すことができるようになっている。
【図面の簡単な説明】
【００１０】
添付図面と連係した本発明の以下の説明により、本発明が明らかとなり、また本発明が最も良く理解される。添付図面は、次の通りである。
【図１】図１は、本発明ブランケットの平面図である。
【図２】図２は、横になって休む姿勢の患者に装着されたブランケットを示している。
【図３】図３は、ブランケットに横たわっている患者の端面図である。
【図４】図４ａと図４ｂは、上記とは違った様式で本発明ブランケットを使用している患者の前面図と側面図である。
【図５】図５は、本発明ブランケットの全身用代替実施例を示す。
【発明を実施するための形態】
【００１１】
図１を参照すると、そこには本発明のブランケット２が示されていて、このブランケット２は上方シート４と下方シート６（図２に示されており、図２ではブランケットの下面が折り返されている）とを備える。上方シート４と下方シート６とは、それらの外縁部８において接合されており、膨らませることが可能な、すなわち膨張可能な対流式ブランケット構造を形成する。説明の便宜上、この膨張可能な構造は、上部すなわち副部１０と、主部すなわち主要部１２とを有するものとして示されている。図１に示されている上部１０と主部１２は説明のためのものであり、それらはブランケットの上部と主部の境界区分を正確には表していない点に留意されたい。
【００１２】
膨らまされることがない、すなわち非膨張の胴エリア１４が主部１２に設けられている。胴エリア１４は、輪状シール１６により画成される２つの縦方向（長手方向）辺１４ａと１４ｂを有する。膨らませることが可能でない、すなわち非膨張の頭エリア１８もブランケットに設けられている。頭エリア１８は、輪状シール２０により画成される２つの縦方向辺１８ａと１８ｂを有する。図１の例としてのブランケットでは、頭エリア１８は、その全体が主部１２に位置するか、あるいは上部１０と主部１２にまたがるものとして示されている。
【００１３】
２つの細長い開口２２ａと２２ｂが、実質的に主部１２の縦方向に沿って設けられている。胴エリア１４と、図示の如く頭エリア１８の一部とが、これら細長い開口２２ａと２２ｂの間に挟まれている。図１の例としてのブランケットでは、細長い開口２２ａと２２ｂは、輪状シール２４ａと２４ｂによりそれぞれ画成されている。細長い開口２２ａの両端において、歪軽減用の封止された空気ポケット２４ａ１と２４ａ２が輪状シール２４ａに設けられている。細長い開口２２ｂの両端において、歪軽減用の封止された空気ポケット２４ｂ１と２４ｂ２が輪状シール２４ｂに設けられている。
【００１４】
孔列の複数の組または配列が、ブランケットの縦軸２６に平行して、ブランケットの縦方向に沿って設けられている。詳しくは、細長い開口２２ａと２２ｂの各縦方向辺に沿って２つの孔配列が設けられている。細長い開口２２ａについては、これら孔配列は参照符号２８ａ１と２８ａ２により示されている。また細長い開口２２ｂについては、これら孔配列は参照符号２８ｂ１と２８ｂ２により示されている。孔配列２８ａ１と２８ｂ１の各々は、３本の孔列により構成されている。孔配列２８ａ２と２８ｂ２の各々は、２本の孔列により構成されている。さらに２本の孔列３０ａと２本の孔列３０ｂが、頭エリア１８の一部と胴エリア１４の縦方向辺に沿って延びている。ブランケット主部における上方シート４には、膨らまされた上記構造内を流れる加熱された空気を外部に出すためのさらなる複数の孔も設けられている。
【００１５】
図１の例としてのブランケットでは、２つの空気入口ポート３２ａと３２ｂが、ブランケットの縦方向縁に設けられている。図示の如く、入口ポート３２ａはブランケットの縦方向縁８ａに設けられており、入口ポート３２ｂはブランケットの縦方向縁８ｂに設けられている。入口ポート３２ａと３２ｂのこの配置は図示説明のためだけのものであり、実際には入口ポート３２ａと３２ｂをブランケットの縦方向縁８ａと８ｂに沿ったもっと上またはもっと下の位置に配してもよい点に留意されたい。さらに、加熱された空気を入れてブランケットを膨らませるのに、これら入口ポートのうちの一方のみを使用してもよい点にも留意されたい。本出願の譲受人に譲渡された米国特許第７、６５８、７５６号に開示された通りに、これら入口ポートは構成されている。参照により米国特許第７、６５８、７５６号の開示内容は本出願に組み込まれる。
【００１６】
ブランケットの上部または副部１０に、半円周状または曲線状のシール３４が設けられている。シール３４は、頭エリア１８から離れた位置に配されるとともに、曲線状に構成されていて、その端部３４ａと３４ｂが頭エリア１８の縦方向辺を越えてそれらの向こう側へと延びている。ここで頭エリア１８の縦方向辺は、輪状シール２０の一部として、参照符号１８ａと１８ｂにより示されている。実質的にシール３４の全長に沿って、目打ち線または虚弱構成部線３６が設けられている。使用者はこの目打ち線３６に沿って部材を容易に引裂くことができ、これによりシール３４を分割して開口を生じさせることができるようになっている。歪軽減用の空気ポケット３４ａ１と３４ｂ１が、シール３４の端部３４ａと３４ｂに設けられている。これら空気ポケット３４ａ１と３４ｂ１は、端部３４ａと３４ｂを越えてシール３４が引裂かれるのを防ぐ保護手段として機能する。
【００１７】
１本の孔列３８ａが、シール３４の上部を取り囲んでいる。他の３本の孔列３８ｂ、３８ｃ、および３８ｄが、上部１０におけるブランケットの上方シート４に設けられている。これらの孔列３８ｂ、３８ｃ、および３８ｄは、シール３４に対して曲線状に空間的に揃った位置関係にある。図示の如く、例としてのブランケット２における上部１０は、頭端８´から延びる外縁シール８ｃと８ｃ´により画成されていて、等脚台形の形をしている。主部１２に位置するブランケットの底端８´´において、外縁シール８の一部分８ｄと８ｄ´がブランケットの下隅、すなわち下角に丸みをつけている。図１に示される例としてのブランケットの形状構成によれば、膨らまされたブランケット構造内の空気の流れが促進あるいは良化される。
【００１８】
上部１０における封止された非膨張角部４０ａと４０ｂの各々は、接着機構、例えばテープを備えていてもよい。この接着機構は、図２に示されている通り上部１０が折り返されている時に、上部１０におけるブランケットの上方シート４を患者の胴体に留めるためのものである。膨らまされた上記構造が風船のように過剰に膨張してしまうのを防ぐことを目的として、ブランケット２の全域にわたり複数の接合箇所４２が効果など十分配慮して設けられている。
【００１９】
図１に示される例としてのブランケットを下敷ブランケットとして使用してもよい。この場合、患者がブランケットの上に載せられるのであり、その際患者の頭は非膨張頭エリア１８に置かれ、また患者の胴は胴エリア１４に置かれるようになっている。
【００２０】
図１における例としてのブランケットを、図２に示される通り、下敷兼上敷用の組合せブランケットに変換してもよい。この場合、シール３４は目打ち線３６に沿って分割されており、そこに開口３４ｃが生じている。例えば破線４３に沿ってブランケットの上部１０が主部１２に向けて折り返されている状態の時に、患者の頭が開口３４ｃを介して露出するか、あるいは患者の頭が開口３４ｃを通るようになっている。図示されるように、上部１０と主部１２の双方において、ブランケットの上方シート４は患者あるいは使用者４４に接触する。さらに図２に示されるように、患者４４の胴体の後側が主部１２により覆われており、すなわち主部１２に接触しており、一方患者の前側はブランケットの上部１０により覆われており、すなわち上部１０に接触している。患者の腕４４ｂ１と４４ｂ２は、細長い開口２２ａと２２ｂを通るとともに、対応する腕支持部４６ａと４６ｂに載せられるものとして、図示されている。
【００２１】
図２と図３を参照すると、ブランケット、もっと正確に言えばブランケットの主部１２がベッドまたはマットレス４８の上に置かれ、このベッドまたはマットレス４８がテーブル支持体（ベッド支持体）５０の上に置かれていることが分かる。図３では、そこに示されている患者の腕４４ｂ１と４４ｂ２がブランケット２から離れる方向に延び、患者の頭４４ａと腕は別にして、患者の上胴部が実質的にブランケット２により覆われている。図３の端面図では、２つのオプションのタックフラップ４８ａと４８ｂを有するものとして、ブランケット２が示されている。これらタックフラップ４８ａと４８ｂは、ブランケット下面に取付けられている。ブランケットをマットレス４８の上に留めるためにこれらタックフラップ４８ａと４８ｂを使用することができ、この場合タックフラップ下部をマットレス４８とベッド支持体５０との間に押し込む。図５におけるブランケットの代替実施例では、オプションのタックフラップ４８ａと４８ｂは実線と破線の双方により示されている。
【００２２】
図４ａと図４ｂは、別の例を示している。この例では、本発明のブランケットが、横になっていない姿勢をとっている使用者の反対２面、すなわち反対両側を覆っている。具体的には、そこに示されている使用者は座った姿勢にあり、使用者の頭が開口３４ｃを通り、ブランケットの主部１２が使用者の前側を覆い、他方ブランケットの上部１０が使用者の後側を覆っている。図４ｂに示されているように、２つの細長い開口のうちの一方、この例では細長い開口２２ｂを介して、患者（使用者）の腕４４ｂ１がブランケットの外へと延びている。図４ａに示されている開口３４ｃは、これより前の図に示されている開口よりも寸法が大きく、患者の頭が開口ｃを通過できるようになっている。本発明のブランケットが同様に立っている患者の反対両側を覆ってもよいことを理解すべきである。
【００２３】
図５は、本発明ブランケットの代替実施例を示している。図５のブランケットの各構成要素のうち図１に示されるブランケットの構成要素と同じもの、または図１に示されるブランケットの構成要素と同じ働きをするものは、同じ参照符号が付されている。図５のブランケットにおける主部１２は図１のブランケットにおけるそれよりも長くなっており、したがって図５のブランケットは患者の脚をも支持するように構成された全身用ブランケットとなり得る。主部１２が図１のブランケットにおけるそれよりも長いのに加えて、図５のブランケットにおける胴エリア１４も図１のブランケットにおけるそれよりも長くなっている。また、図５のブランケットの幅は、図１に示されるブランケットの幅よりも狭くてもよい。さらに、次の点でも図５のブランケットは図１のブランケットと異なっている。図１のブランケットにおける孔のうちいくつかは、例としての図５のブランケットから省かれている。また、種種の孔についてこれら２つのブランケットでは、その配置が異なっている。さらに、細長い開口２２ａと２２ｂの縦方向辺に沿って延びる孔配列を構成する孔列の数が、これら２つの例としてのブランケットでは異なっている。
【００２４】
図１の半身用ブランケットと対比して全身用ブランケットとして構成されているのに加えて、図５の例としてのブランケットは接合帯部５２を有する。接合帯部５２は、ブランケット上端８´から延びていて、シール３４´に一体的に結合する。患者の前側を覆う目的で、接合帯部５２は上部１０に対して封止された中心を形成する。医者が接合帯部５２をその縦方向に沿って切ってもよく、この場合上部１０が２つの半割上部１０ａと１０ｂに分割され、患者の上胴部が露出することになる。代わりに、破線５４で示される目打ち線または虚弱構成部線を予め接合帯部５２に設けて、上部１０を２つの半割上部１０ａと１０ｂに容易に分割できるようにしてもよい。
【００２５】
以上に開示した本発明には、多くの変形例、部分的変更例、および細部にわたっての変更例が存在する。例えば、図２と図４ａや図４ｂに示されている通りに患者を覆う代わりに、患者の右側部または左側部を加温する必要がある場合や、患者が横向きで手術台に横たわっている場合に、本発明ブランケットを患者胴体の片方の側部に沿ってこれに揃うように配置してもよい。より加温を必要とする患者側部を覆うようにブランケットの主部を配置するとともに、おそらく患者の頭が上部と下部の接合箇所に生じている開口を通っているので、ブランケットの上部と主部を位置付けるための参照点として働くよう患者の頭を用いてもよい。したがって、本明細書で述べらた全ての事項および添付図に示された全ての事項は、説明のためだけのものであり、本発明の範囲を限定するものではない。本発明の範囲は、添付請求項の主旨と範囲によってのみ限定され得る。
【図１】
0006323839.tif 000002
【図２】
0006323839.tif 000003
【図３】
0006323839.tif 000004
【図４ａ】
0006323839.tif 000005
【図４ｂ】
0006323839.tif 000006
【図５】
0006323839.tif 000007